(57)【要約】【課題】従来の収納機能を有するベッドは、収納部の容量が少ないという課題があった。【解決手段】支持枠１２は、右側壁板１２Ｒ、左側壁板１２Ｌ、フットボード１２Ｆおよびヘッドボード１２Ｈを有し、これら４枚の板によって囲まれた平面視矩形の閉領域空間２０が収納室として形成されている。右側壁板１２Ｒおよび左側壁板１２Ｌの内面には、床板１１を係止するための桟１４が設けられている。床板１１は、桟１４に係止されて閉領域空間２０の上面を覆い、床板上に寝具を配置できる第１状態と、斜めに立て掛けて、閉領域空間２０の上面を開いた第２状態とに変位可能とされている。第２状態を維持するために、フットボード１２Ｆおよびヘッドボード１２Ｈの内面下方には、それぞれ、床板用端縁支持材が備えられ、かつ、右側壁板１２Ｒおよび左側壁板１２Ｌの内面に設けられた桟１４のフット側およびヘッド側の各端縁は、それぞれ、斜め状態の床板を支持する支持部を構成している。【選択図】図２
2018126468.tif 000002
【特許請求の範囲】
【請求項１】
床板と、床板を所定の高さ位置に保持するための支持枠とを含むベッドであって、
前記支持枠は、高さＨ１の右側壁板および左側壁板、高さＨ２のフットボードならびに高さＨ３のヘッドボードを有し、これら４枚の板によって囲まれた平面視矩形の閉領域空間が収納室として形成されており、
少なくとも前記右側壁板および左側壁板の内面には、所定の高さＨ４の位置に、前記床板を係止するための水平方向に長手をした桟が設けられており、
前記床板は、前記閉領域空間のフットボード側半分を覆う足部床板と、前記閉領域空間のヘッドボード側半分を覆う頭部床板との２分割態様を有し、
前記足部床板および頭部床板が前記桟に係止されて前記閉領域空間の上面を覆い、床板上に寝具を配置できる第１状態と、前記足部床板および頭部床板を、それぞれ、前記フットボードおよびヘッドボードの内面下方を起点に斜めに立て掛けて、前記閉領域空間の上面を開いた第２状態と、に変位可能とされ、
前記第２状態を維持するために、前記フットボードおよびヘッドボードの内面下方には、それぞれ、床板用端縁支持材が備えられ、かつ、前記右側壁板および左側壁板の内面に設けられた前記桟のフット側およびヘッド側の各端縁は、それぞれ、斜め状態の床板を支持する支持部を構成していることを特徴とする、ベッド。
【請求項２】
請求項１記載のベッドにおいて、
前記フットボードおよびヘッドボードの内面には、所定の高さＨ４の位置に、前記床板を係止するための水平方向に長手をした桟が設けられていることを特徴とする、ベッド。
【請求項３】
請求項１または２に記載のベッドにおいて、
前記足部床板および頭部床板の互いに対向する端縁の各中央位置には、前記足部床板および頭部床板を前記第２状態に変位する際に把持することのできる持ち手が設けられていることを特徴とする、ベッド。
【請求項４】
床板と、床板を所定の高さ位置に保持するための支持枠とを含むベッドであって、
前記支持枠は、高さＨ１の右側壁板および左側壁板、高さＨ２のフットボードならびに高さＨ３のヘッドボードを有し、これら４枚の板によって囲まれた平面視矩形の閉領域空間が収納室として形成されており、
前記右側壁板、左側壁板、フッドボードおよびヘッドボードの内面には、所定の高さＨ４の位置に、前記床板を係止するための水平方向に長手をした桟が設けられており、
前記床板は、前記閉領域空間の上面を覆う１枚の板を有し、
前記床板が前記桟に係止されて前記閉領域空間の上面を覆い、床板上に寝具を配置できる第１状態と、前記床板を、前記右側壁板または左側壁板の内面下方を起点に斜めに立て掛けて、前記閉領域空間の上面を開いた第２状態と、に変位可能とされ、
前記第２状態を維持するために、前記右側壁板または左側壁板の内面下方には、それぞれ、床板用側縁支持材が備えられ、かつ、前記フッドボードおよびヘッドボードの内面に設けられた前記桟の右側壁板側または左側壁板側の各端縁は、それぞれ、斜め状態の床板を支持する支持部を構成していることを特徴とする、ベッド。
【請求項５】
請求項４に記載のベッドにおいて、
前記床板の左側縁および右側縁の中央位置には、少なくとも一方に、床板を前記第２状態に変位する際に把持することのできる持ち手が設けられていることを特徴とする、ベッド。
【発明の詳細な説明】
【技術分野】
【０００１】
この発明は、ベッドに関し、特に、収納機能を有するベッドに関する。
【背景技術】
【０００２】
従来のベッドにおいても、収納機能を有するものが存在する。
例えば、特許文献１には、座部２の下部を成す収納枠３に収納箱４が引出し自在に設けられた収納ソファベッドが提案されている。
また、特許文献２には、ベッド１下の空間に自由に出し入れできる収納用ボックス２が提案されている。
【０００３】
さらに、非特許文献１には、ベッド支持枠に、側方から引き出し自在に組み合わされた引き出し付ベッドが開示されている。
【先行技術文献】
【特許文献】
【０００４】
【特許文献１】特開２００４−３５８０１３号公報
【特許文献２】特開平７−２３６５４９号公報
【非特許文献】
【０００５】
【非特許文献１】フランスベッド商品一覧、ＲＤシリーズＲＤ−１１２                            http://www.beds.jp/index.php
【発明の概要】
【発明が解決しようとする課題】
【０００６】
上記従来の収納機能を有するベッドは、いずれも、収納部がベッド下から出し入れできる容器状または箱状の構成をしており、収納部の容量が少ないという課題があった。
この発明は、従来の構成が有していた課題を解決しようとするものであり、大きな収納容量を有するベッドを実現することを主たる目的とするものである。
【課題を解決するための手段】
【０００７】
この発明は、上記目的を達成するために、請求項１記載の発明は、床板と、床板を所定の高さ位置に保持するための支持枠とを含むベッドであって、前記支持枠は、高さＨ１の右側壁板および左側壁板、高さＨ２のフットボードならびに高さＨ３のヘッドボードを有し、これら４枚の板によって囲まれた平面視矩形の閉領域空間が収納室として形成されており、少なくとも前記右側壁板および左側壁板の内面には、所定の高さＨ４の位置に、前記床板を係止するための水平方向に長手をした桟が設けられており、前記床板は、前記閉領域空間のフットボード側半分を覆う足部床板と、前記閉領域空間のヘッドボード側半分を覆う頭部床板との２分割態様を有し、前記足部床板および頭部床板が前記桟に係止されて前記閉領域空間の上面を覆い、床板上に寝具を配置できる第１状態と、前記足部床板および頭部床板を、それぞれ、前記フットボードおよびヘッドボードの内面下方を起点に斜めに立て掛けて、前記閉領域空間の上面を開いた第２状態と、に変位可能とされ、前記第２状態を維持するために、前記フットボードおよびヘッドボードの内面下方には、それぞれ、床板用端縁支持材が備えられ、かつ、前記右側壁板および左側壁板の内面に設けられた前記桟のフット側およびヘッド側の各端縁は、それぞれ、斜め状態の床板を支持する支持部を構成していることを特徴とする、ベッドである。
【０００８】
請求項２記載の発明は、請求項１記載のベッドにおいて、前記フットボードおよびヘッドボードの内面には、所定の高さＨ４の位置に、前記床板を係止するための水平方向に長手をした桟が設けられていることを特徴とする、ベッドである。
請求項３記載の発明は、請求項１または２に記載のベッドにおいて、前記足部床板および頭部床板の互いに対向する端縁の各中央位置には、前記足部床板および頭部床板を前記第２状態に変位する際に把持することのできる持ち手が設けられていることを特徴とする、ベッドである。
【０００９】
請求項４記載の発明は、床板と、床板を所定の高さ位置に保持するための支持枠とを含むベッドであって、前記支持枠は、高さＨ１の右側壁板および左側壁板、高さＨ２のフットボードならびに高さＨ３のヘッドボードを有し、これら４枚の板によって囲まれた平面視矩形の閉領域空間が収納室として形成されており、前記右側壁板、左側壁板、フッドボードおよびヘッドボードの内面には、所定の高さＨ４の位置に、前記床板を係止するための水平方向に長手をした桟が設けられており、前記床板は、前記閉領域空間の上面を覆う１枚の板を有し、前記床板が前記桟に係止されて前記閉領域空間の上面を覆い、床板上に寝具を配置できる第１状態と、前記床板を、前記右側壁板または左側壁板の内面下方を起点に斜めに立て掛けて、前記閉領域空間の上面を開いた第２状態と、に変位可能とされ、前記第２状態を維持するために、前記右側壁板または左側壁板の内面下方には、それぞれ、床板用側縁支持材が備えられ、かつ、前記フッドボードおよびヘッドボードの内面に設けられた前記桟の右側壁板側または左側壁板側の各端縁は、それぞれ、斜め状態の床板を支持する支持部を構成していることを特徴とする、ベッドである。
【００１０】
請求項５記載の発明は、請求項４に記載のベッドにおいて、前記床板の左側縁および右側縁の中央位置には、少なくとも一方に、床板を前記第２状態に変位する際に把持することのできる持ち手が設けられていることを特徴とする、ベッドである。
【発明の効果】
【００１１】
この発明のベッドは、床板（１枚の床板または足部床板および頭部床板）を第２状態にすることにより、支持枠で囲まれた平面視矩形の閉領域空間（収納室）が開かれ、当該収納室への物の入出が容易に行える。収納室は、物の収容に対して十分な容量を備えており、季節毎に使用する衣類や日用品等の比較的大きな物も収納することができる。
また、床板を第２状態にすることにより、ベッド全体に通風でき、ベッドや収納物の乾燥が行え、有用である。
【００１２】
床板を第２状態に変位する際には、持ち手を持って容易に変位をさせることができる。
【図面の簡単な説明】
【００１３】
【図１】図１は、この発明の一実施形態に係るベッド１０の外観斜視図である。
【図２】図２は、この発明の一実施形態に係るベッド１０において、足部床板および頭部床板を第２状態にした状態の斜視図である。
【図３】図３は、この発明の一実施形態に係るベッド１０において、足部床板および頭部床板を取り出した状態の平面図である。
【図４】図４は、図３におけるIV−IVに沿う縦断面図である。
【図５】図５は、図４の縦断面図において、足部床板および頭部床板を第２状態にした状態の図である。
【図６】図６は、フットボードを内面側から見た正面図である。
【図７】図７は、ヘッドボードを内面側から見た正面図である。
【図８】図８は、端縁支持部材としての当り止め桟１５の拡大断面図である。
【図９】図９は、この発明の一実施形態に係るベッド１０における、床板を第２状態に支持するための支持部を説明するための部分側面図である。
【図１０】図１０は、この発明の他の実施形態に係るベッド３０の外観斜視図である。
【発明を実施するための形態】
【００１４】
以下、この発明の一実施形態を図１〜図９に基づいて説明する。
図１は、この発明の一実施形態に係るベッド１０の外観斜視図である。ベッド１０は、床板１１と、床板１１を所定の高さ位置に保持するための支持枠１２とを含んでいる。床板１１上には、破線で示すように、マット１３が載置されてもよい。
図３および図４を参照して、支持枠１２は、高さＨ１の右側壁板１２Ｒ、高さＨ１の左側壁板１２Ｌ、高さＨ２のフットボード１２Ｆおよび高さＨ３のヘッドボード１２Ｈを有している。そして、これら４枚の板は、この実施形態では木製とされ、これら４枚の板によって囲まれた平面視矩形の閉領域空間２０が収納室として形成されている。
【００１５】
この実施形態では、右側壁板１２Ｒおよび左側壁板１２Ｌの高さＨ１とフットボード１２Ｆの高さＨ２とは等しくされており（Ｈ１＝Ｈ２）、ヘッドボード１２Ｈの高さＨ３は、それよりも十分に高くされている。しかし、ヘッドボード１２Ｈの高さＨ３とフットボード１２Ｆの高さＨ２とを等しくし（Ｈ３＝Ｈ２）、それら高さ（Ｈ３，Ｈ２）を、右側壁板１２Ｒ、左側壁板１２Ｌの高さＨ１と等しくしてもよいし、高さＨ１よりも高くした構成としてもよい。
【００１６】
右側壁板１２Ｒ、左側壁板１２Ｌ、フットボード１２Ｆおよびヘッドボード１２Ｈの各内面には、それぞれ、所定の高さＨ４の位置に、床板１１を係止するための桟１４が設けられている。各桟１４は、水平方向に長手をなすように、支持枠１２（右側壁板１２Ｒ、左側壁板１２Ｌ、フットボード１２Ｆ、ヘッドボード１２Ｈ）の内面に、一例として、ねじにより固定されている。
【００１７】
この実施形態では、右側壁板１２Ｒおよび左側壁板１２Ｌには、それぞれ、水平方向に長手に、３つの桟１４が固定されており、フットボード１２Ｆおよびヘッドボード１２Ｈには、各１つの桟１４が固定されている。しかし、桟１４の形態は、これに限定されるものではなく、右側壁板１２Ｒおよび左側壁板１２Ｌに固定する各桟１４を、長い１本の桟１４としてもよいし、３本以上からなる水平に並んだ桟１４であってもよい。また、フットボード１２Ｆおよび／またはヘッドボード１２Ｈに固定された桟１４は、省略することも可能である。
【００１８】
図１、図２および図５を参照して、床板１１は、足部床板１１Ｆと頭部床板１１Ｈとに２分割されていて、それぞれ、閉領域空間２０のフットボード１２Ｆ側半分を覆うものと、閉領域空間２０のヘッドボード１２Ｈ側半分を覆うものとが備えられている。
この実施形態の特徴は、足部床板１１Ｆおよび頭部床板１１Ｈが、桟１４に係止されて閉領域空間（収納室）２０の上面を覆い、床板１１Ｆ，１１Ｈの上にマット１３等の寝具を配置できる第１状態（図１を参照）と、足部床板１１Ｆおよび頭部床板１１Ｈを、それぞれ、フットボード１２Ｆおよびヘッドボード１２Ｈの内面下方を起点に斜めに立て掛けて、閉領域空間（収納室）２０の上面を開いた第２状態（図２および図５を参照）とに変位可能とされていることである。
【００１９】
これにより、第２状態においては、支持枠１２（１２Ｒ，１２Ｌ，１２Ｆ，１２Ｈ）で周囲が囲まれた閉領域空間２０という大容量の収納室を開けることができ、各種の物、特に季節毎に使用する比較的大きな物や衣類などを、良好に収納室から出し入れでき、かつ、収納することができる。
足部床板１１Ｆおよび頭部床板１１Ｈの、互いに対向する端縁１１１Ｆ，１１１Ｈの長さ方向各中央位置には、持ち手１７が設けられていてもよい。持ち手１７は、足部床板１１Ｆおよび頭部床板１１Ｈを第２状態に変位する際に把持し、変位を行いやすくするためのものである。持ち手１７は、布、皮、紐等の柔軟な素材で作られ、端縁１１１Ｆ，１１１Ｈに取り付けられたものとすることができる。また、持ち手１７は、端縁１１１Ｆ，１１１Ｈの長さ方向中央位置に形成された手指を掛けることのできる凹部によって構成することもできる。
【００２０】
図６〜図９を参照して、床板１１（足部床板１１Ｆおよび頭部床板１１Ｈ）を第２状態に維持するための構造について説明する。
図６を参照して、フットボード１２Ｆの内面下方には、フットボード１２Ｆの幅方向中央部に、床板１１の端縁を支持するための端縁支持部材としての当り止め桟１５が、たとえば、ねじによって固定されている。同様に、図７を参照して、ヘッドボード１２Ｈの内面下方には、ヘッドボード１２Ｈの幅方向中央部に、床板１１の端縁を支持するための端縁支持部材としての当り止め桟１５が、たとえば、ねじによって固定されている。
【００２１】
図８の拡大断面図に示すように、端縁支持部材としての当り止め桟１５は、直角をなす第１当り止め桟１５１と第２当り止め桟１５２とを有しており、これら２つの当り止め桟１５１，１５２によって床板１１の端縁を受け止めて保持するものである。
図９を参照して、端縁部が端縁支持部材１５で受け止められ、斜めに上方へ立て掛けられた床板１１Ｈは、その両側部が、右側壁板１２Ｒ、左側壁板１２Ｌに設けられた桟１４の端部１４Ｅによって係止され、斜め立て掛け状態が維持される。
【００２２】
なお、この実施形態では、壁板１２Ｒ，１２Ｌに設けられた桟１４の端部１４Ｅによって、斜め上方へ立て掛けられた床板１１を係止する構成としたが、これに代え、右側壁板１２Ｒおよび左側壁板１２Ｌの長さ方向端部に、それぞれ、斜め上方へ立て掛けられる床板１１を係止するための渡し棒１６（図２を参照）を設けた構成とすることもできる。
次に、この発明の他の実施形態を図１０に基づいて説明する。
【００２３】
図１０は、この発明の他の実施形態に係るベッド３０の外観斜視図であり、床板１１を第２状態にした状態の図である。
ベッド３０は、先に説明した一実施形態に係るベッド１０と同様に、床板１１と、床板１１を所定の高さ位置に保持するための支持枠１２とを含んでいる。
支持枠には、右側壁板１２Ｒ、左側壁板１２Ｌ、フットボード１２Ｆおよびヘッドボード１２Ｈを含み、これら４枚の板は、一例として木製である。そして、これら４枚の板によって囲まれた平面視矩形の閉領域空間２０が収納室として形成されている。
【００２４】
右側壁板１２Ｒ、左側壁板１２Ｌ、フットボード１２Ｆおよびヘッドボード１２Ｈの各内面には、それぞれ、所定の高さ位置に、床板１１を係止するための桟１４が設けられている。また、右側壁板１２Ｒおよび左側壁板１２Ｌの内面下方には、それぞれ、床板用側縁支持材としての当り止め桟１５が備えられている。当り止め桟１５の構成は、図８を参照して説明した当り止め桟１５の構成と同じであってもよい。
【００２５】
床板１１は、閉領域空間２０の上面を覆う平面視矩形の１枚の板部材で構成されている。床板１１の左側縁１１Ｌおよび右側縁１１Ｒの長さ方向中央位置には、床板１１を第２状態に変位する際に把持することのできる持ち手１７が設けられている。この実施形態では、持ち手１７は、一例として、床板１１の左側縁１１Ｌの長さ方向中央位置において、側縁１１Ｌに凹設された、手指を掛けることのできる凹部によって形成されている。
【００２６】
しかし、持ち手１７は、先の実施形態と同様に、布、皮、紐等の柔軟な素材で作られ、側縁１１Ｌ，１１Ｒに取り付けられたものであってもよい。
この実施形態では、１枚の床板１１は、一例として、右側壁板１２Ｒの内面下方を起点に、床板１１の右側縁１１Ｒが下になり、床板１１の左側縁１１Ｌが上になるように斜めに立て掛けて、閉領域空間（収納室）２０の上面を開いた第２状態（図１０を参照）に維持することができる。
【００２７】
第２状態では、床板１１の足部側端縁１１Ｆおよび頭部側端縁１１Ｈは、それぞれ、フットボード１２Ｆおよびヘッドボード１２Ｈの各内面に固定された桟１４の端部１４Ｅによって係止され、斜め立て掛け状態が維持される。
これにより、第２状態においては、支持枠１２で周囲が囲まれた閉領域空間２０という大容量の収納室を、手軽に開けることができる。
【００２８】
この実施形態では、当り止め桟１５は、左右に設けられ、床板１１の持ち手１７も左右に設けられた例を示したが、当り止め桟１５および持ち手１７は、左または右のいずれか一方にだけ設けた構成であってもよい。
また、この実施形態では、ヘッドボード１２Ｈは、いわゆる一枚板構成とし、その上方内面に、飾り突部１８を有するものとしたが、係る構成に限定されるものではない。
【００２９】
この発明は、以上説明した実施形態に限定されるものではなく、請求項記載の範囲内で種々の変更が可能である。
【符号の説明】
【００３０】
１０、３０    ベッド
１１    床板
１１Ｆ    足部床板
１１Ｈ    頭部床板
１１１Ｆ，１１１Ｈ    端縁
１２    支持枠
１２Ｒ    右側壁板
１２Ｌ    左側壁板
１２Ｆ    フットボード
１２Ｈ    ヘッドボード
１３    マット
１４    桟
１４Ｅ    端部
１５    当り止め桟
１５１    第１当り止め桟
１５２    第２当り止め桟
１６    渡し棒
１７    持ち手
１８    飾り突部
２０    閉領域空間
【図１】
2018126468.tif 000003
【図２】
2018126468.tif 000004
【図３】
2018126468.tif 000005
【図４】
2018126468.tif 000006
【図５】
2018126468.tif 000007
【図６】
2018126468.tif 000008
【図７】
2018126468.tif 000009
【図８】
2018126468.tif 000010
【図９】
2018126468.tif 000011
【図１０】
2018126468.tif 000012